(57)【要約】【課題】商品購入者に届ける物を確実に包装できる包装システムを提供する。【解決手段】本発明の包装システム１は、顧客を識別する顧客識別子ＵＩＤに関連付けられた第１コードＣ１を読み取り可能な第１読取装置４１と、第１コードＣ１に関連付けられた第２コードＣ２が設けられた容器ラベルＬ２を出力し、商品Ｓを包装する包装容器Ｂに容器ラベルＬ２を付す容器ラベル発行装置５０と、を備え、第１読取装置４１は、包装容器Ｂに投入された商品Ｓに付された第１コードＣ１を読み取り、容器ラベル発行装置５０は、商品Ｓが投入された包装容器Ｂに容器ラベルＬ２を付す。【選択図】図１
2020055657.tif 000002
【特許請求の範囲】
【請求項１】
顧客を識別する顧客識別子に関連付けられた第１コードを読み取り可能な第１読取装置と、
前記第１コードに関連付けられた第２コードが設けられた容器ラベルを出力し、商品を包装する包装容器に前記容器ラベルを付す容器ラベル発行装置と、を備え、
前記第１読取装置は、前記包装容器に投入された前記商品または伝票に付された前記第１コードを読み取り、
前記容器ラベル発行装置は、前記商品が投入された前記包装容器に前記容器ラベルを付すことを特徴とする包装システム。
【請求項２】
顧客を識別する顧客識別子に関連付けられた第１コードを読み取り可能な第１読取装置と、
前記第１コードに関連付けられた第２コードを印刷可能な印刷装置と、を備え、
前記第１読取装置は、商品を包装する包装容器に投入された前記商品または伝票に付された前記第１コードを読み取り、
前記印刷装置は、前記商品が投入された前記包装容器に第２コードを印刷して付す
ことを特徴とする包装システム。
【請求項３】
前記第１コードが、さらに商品を識別する商品識別子を有する請求項１または請求項２に記載の包装システム。
【請求項４】
前記包装システムは、前記顧客識別子に関連付けられた顧客情報又は前記商品識別子に関連付けられた商品情報に基づく広告並びに前記顧客識別子及び前記商品識別子に関連付けられた第３コードが印刷された広告媒体を出力し、前記広告媒体を前記包装容器に投入する広告投入装置と、を備える
ことを特徴とする請求項３に記載の包装システム。
【請求項５】
前記包装システムは、前記顧客識別子に関連付けられた顧客情報又は前記商品識別子に関連付けられた商品情報に基づくクーポン情報並びに前記顧客識別子及び前記商品識別子に関連付けられた第３コードが印刷されたクーポンを出力し、前記クーポンを前記包装容器に投入するクーポン投入装置と、を備える
ことを特徴とする請求項３に記載の包装システム。
【請求項６】
前記第１コードと前記第３コードとを照合し、前記第１コードと前記第３コードとが共通する前記顧客識別子及び前記商品識別子を有さない場合にエラーを検出する第１照合装置と、を備える
ことを特徴とする請求項４又は請求項５に記載の包装システム。
【請求項７】
前記第２コードと前記第３コードとを照合し、前記第２コードと前記第３コードとが共通する前記顧客識別子及び前記商品識別子を有さない場合にエラーを検出する第１照合装置と、を備える
ことを特徴とする請求項４から請求項６のいずれか１項に記載の包装システム。
【請求項８】
前記顧客識別子に関連付けられた宛名並びに前記顧客識別子及び前記商品識別子に関連付けられた第４コードが印刷された宛名ラベルを出力し、前記宛名ラベルを前記包装容器に付す宛名ラベル貼付装置と、を備える
ことを特徴とする請求項３から請求項７のいずれか１項に記載の包装システム。
【請求項９】
前記第１コードと前記第４コードとを照合し、前記第１コードと前記第４コードとが共通する前記顧客識別子及び前記商品識別子を有さない場合にエラーを検出する第２照合装置と、を備える
ことを特徴とする請求項８に記載の包装システム。
【請求項１０】
前記第２コードと前記第４コードとを照合し、前記第２コードと前記第４コードとが共通する前記顧客識別子及び前記商品識別子を有さない場合にエラーを検出する第２照合装置と、を備える
ことを特徴とする請求項８又は請求項９に記載の包装システム。
【請求項１１】
前記第３コードと前記第４コードとを照合し、前記第３コードと前記第４コードとが共通する前記顧客識別子及び前記商品識別子を有さない場合にエラーを検出する第２照合装置と、を備える
ことを特徴とする請求項８から請求項１０のいずれか１項に記載の包装システム。
【発明の詳細な説明】
【技術分野】
【０００１】
本発明は包装システムに関するものである。
【背景技術】
【０００２】
従来、商品の購入指示が入力された媒体と異なる媒体である紙媒体に対して、レコメンド情報を印刷するレコメンド装置がある（特許文献１参照）。
【先行技術文献】
【特許文献】
【０００３】
【特許文献１】特開２０１５−１４１４８０号公報
【発明の概要】
【発明が解決しようとする課題】
【０００４】
しかしながら、従来のレコメンド情報が印刷された紙媒体は、商品購入者が購入した商品と一緒に梱包され、商品購入者に届けられるべきであるところ、その確実性については改善の余地があった。
【０００５】
本発明は、このような事情に鑑みてなされたものであり、商品購入者に届ける物を確実に包装できる包装システムを提供することを目的とする。
【課題を解決するための手段】
【０００６】
本発明は、上記目的を達成するために以下の構成によって把握される。
（１）本発明の包装システムは、顧客を識別する顧客識別子に関連付けられた第１コードを読み取り可能な第１読取装置と、前記第１コードに関連付けられた第２コードが設けられた容器ラベルを出力し、商品を包装する包装容器に前記容器ラベルを付す容器ラベル発行装置と、を備え、前記第１読取装置は、前記包装容器に投入された前記商品または伝票に付された前記第１コードを読み取り、前記容器ラベル発行装置は、前記商品が投入された前記包装容器に前記容器ラベルを付す。
（２）上記（１）において、顧客を識別する顧客識別子に関連付けられた第１コードを読み取り可能な第１読取装置と、前記第１コードに関連付けられた第２コードを印刷可能な印刷装置と、を備え、前記第１読取装置は、商品を包装する包装容器に投入された前記商品または伝票に付された前記第１コードを読み取り、前記印刷装置は、前記商品が投入された前記包装容器に第２コードを印刷して付す。
（３）上記（１）又は（２）において、前記第１コードが、さらに商品を識別する商品識別子を有する。
（４）上記（３）において、前記包装システムは、前記顧客識別子に関連付けられた顧客情報又は前記商品識別子に関連付けられた商品情報に基づく広告並びに前記顧客識別子及び前記商品識別子に関連付けられた第３コードが印刷された広告媒体を出力し、前記広告媒体を前記包装容器に投入する広告投入装置と、を備える。
（５）上記（３）において、前記包装システムは、前記顧客識別子に関連付けられた顧客情報又は前記商品識別子に関連付けられた商品情報に基づくクーポン情報並びに前記顧客識別子及び前記商品識別子に関連付けられた第３コードが印刷されたクーポンを出力し、前記クーポンを前記包装容器に投入するクーポン投入装置と、を備える。
（６）上記（４）又は（５）において、前記第１コードと前記第３コードとを照合し、前記第１コードと前記第３コードとが共通する前記顧客識別子及び前記商品識別子を有さない場合にエラーを検出する第１照合装置と、を備える。
（７）上記（４）から（６）のいずれかにおいて、前記第２コードと前記第３コードとを照合し、前記第２コードと前記第３コードとが共通する前記顧客識別子及び前記商品識別子を有さない場合にエラーを検出する第１照合装置と、を備える。
（８）上記（３）から（７）のいずれかにおいて、前記顧客識別子に関連付けられた宛名並びに前記顧客識別子及び前記商品識別子に関連付けられた第４コードが印刷された宛名ラベルを出力し、前記宛名ラベルを前記包装容器に付す宛名ラベル貼付装置と、を備える。
（９）上記（８）において、前記第１コードと前記第４コードとを照合し、前記第１コードと前記第４コードとが共通する前記顧客識別子及び前記商品識別子を有さない場合にエラーを検出する第２照合装置と、を備える。
（１０）上記（８）又は（９）において、前記第２コードと前記第４コードとを照合し、前記第２コードと前記第４コードとが共通する前記顧客識別子及び前記商品識別子を有さない場合にエラーを検出する第２照合装置と、を備える。
（１１）上記（８）から（１０）のいずれかにおいて、前記第３コードと前記第４コードとを照合し、前記第３コードと前記第４コードとが共通する前記顧客識別子及び前記商品識別子を有さない場合にエラーを検出する第２照合装置と、を備える。
【発明の効果】
【０００７】
本発明によれば、商品購入者に届ける物を確実に包装できる包装システムを提供できる。
【図面の簡単な説明】
【０００８】
【図１】本実施形態に係る包装システムの構成図である。
【図２】本実施形態に係る包装システムによる包装ラインの説明図である。
【図３】制御装置に記憶される参照テーブルである。
【発明を実施するための形態】
【０００９】
（実施形態）
以下、添付図面を参照して、本発明を実施するための形態（以下、「実施形態」と称する。）について詳細に説明する。実施形態の説明の全体を通して同じ要素には同じ番号又は符号を付している。
【００１０】
図１は、本実施形態に係る包装システム１の構成図である。図２は、本実施形態に係る包装システム１による包装ラインの説明図である。図３は、制御装置９０に記憶される参照テーブルである。
【００１１】
包装システム１は、商品Ｓと、商品Ｓとともに商品購入者（顧客）に届けられる納品書等の伝票Ｌ１と、広告等が表示された媒体とを一緒に包装することが可能な装置である。
【００１２】
（包装システム１の構成）
図１に示すように、包装システム１は、段ボール等で形成された包装容器Ｂを包装ラインに沿って運搬するコンベヤ１０と、コンベヤ１０の上流側に配置されて包装容器Ｂを成形してコンベヤ１０に載せる製函装置２０と、包装容器Ｂの内部に商品Ｓ及び第１コードＣ１が付された伝票Ｌ１を投入する商品投入装置３０と、第１コードＣ１を読み取り可能な第１読取装置４１と、第２コードＣ２が付された容器ラベルＬ２を出力して包装容器Ｂに貼り付ける容器ラベル発行装置５０と、第１コードＣ１又は第２コードＣ２を読み取り可能な第２読取装置４２と、第３コードＣ３が付された広告媒体Ｌ３を出力して包装容器Ｂの内部に広告媒体Ｌ３を投入する広告投入装置６０と、包装容器Ｂに封をする封函装置７０と、第２コードＣ２を読み取り可能な第３読取装置４３と、第４コードＣ４が付された宛名ラベルＬ４を出力して包装容器Ｂに貼り付ける宛名ラベル貼付装置８０と、を備えている。
包装システム１において、各装置は、コンベヤ１０に沿って並ぶように配置されている。
【００１３】
また、包装システム１は、各装置を制御する制御装置９０を備えている。
制御装置９０は、ＣＰＵ（不図示）及び記憶装置（不図示）を有している。記憶装置には、包装システム１を構成する各装置を制御する制御プログラムが導入されている。制御装置９０は、ＬＡＮ、インターネット等のネットワークＮＥＴに接続されていてもよい。これにより、包装システム１を、制御装置９０を介して、制御装置９０とは異なるコンピュータにより、リモートで制御できる。
【００１４】
また、記憶装置は、図３に示すように、顧客を識別する顧客識別子ＵＩＤ、顧客情報ＵＩ（顧客住所、顧客氏名等）商品Ｓを識別する商品識別子ＳＩＤ、商品情報ＳＩ（商品名、商品価格、商品購入時刻等）、第１コードＣ１、第２コードＣ２、第３コードＣ３、第４コードＣ４等を記憶可能になっている。
【００１５】
第１コードＣ１、第２コードＣ２、第３コードＣ３及び第４コードＣ４は、それぞれ、顧客識別子ＵＩＤ及び商品識別子ＳＩＤに関連付けられている。なお、第１コードＣ１、第２コードＣ２、第３コードＣ３及び第４コードＣ４の各コードは同じものであってもよいが、各コードから変換（復号）される情報が顧客識別子ＵＩＤ及び商品識別子ＳＩＤを共有していれば、異なるものであってもよい。
【００１６】
また、制御装置９０は、ネットワークＮＥＴを介して、例えばネットショッピング等の取引情報を他のコンピュータから受信することで、顧客識別子ＵＩＤ、顧客情報ＵＩ（顧客住所、顧客氏名等）、商品識別子ＳＩＤ、商品情報ＳＩ（商品名、商品価格等）及び第１コードＣ１を記憶している。
【００１７】
また、制御装置９０は、包装システム１による包装ラインの過程において、包装システム１が発行する、又は、読み取った、第２コードＣ２、第３コードＣ３及び第４コードＣ４を記憶する。
そして、制御装置９０は、コンベヤ１０の動作と各装置の動作を連動させることにより、内部に、伝票Ｌ１、広告媒体Ｌ３及び商品Ｓを包装し、容器ラベルＬ２及び宛名ラベルＬ４を張り付けた状態の包装容器Ｂを、短いリードタイムで確実に製造できるようになっている。
【００１８】
コンベヤ１０は、包装容器Ｂを載せてその姿勢を保った状態で、電動機等の動力により、包装容器Ｂを水平方向に運搬する装置である。コンベヤ１０としては、例えば、ベルトコンベヤ、ローラコンベヤ等が用いられる。
また、コンベヤ１０は、制御装置９０の指令により、運搬開始、運搬停止及び運搬速度の調節が可能になっている。
【００１９】
製函装置２０は、コンベヤ１０の上流側に配置されて、包装容器Ｂを成形してコンベヤ１０に載せる装置である。
ここで、包装容器Ｂは、内部に商品Ｓ等を配置する空間を有するものであり、例えば、板状の段ボールを折り曲げて箱状に形成されたものがあげられるが、これに限定されず、缶、袋等であってもよい。
そして、製函装置２０は、包装容器Ｂを成形してコンベヤ１０の上に載せるまでを、自動的に行う。例えば、包装容器Ｂが段ボールで形成された箱であれば、板状の段ボールから、底部が接着テープ等によって閉じられ、頂部が開いた状態となるまで成形してコンベヤ１０の上に載せるまでを、自動的に行う。
また、製函装置２０は、制御装置９０の指令により、コンベヤ１０の動作に連動して、順次、包装容器Ｂの成形及びコンベヤ１０の上に載せることが可能になっている。
【００２０】
商品投入装置３０は、包装容器Ｂの内部に商品Ｓ及び第１コードＣ１が付された伝票Ｌ１を投入する装置である。商品投入装置３０による包装容器Ｂの内部への商品Ｓ及び伝票Ｌ１の投入は、商品Ｓを投入してから伝票Ｌ１を投入してもよく、商品Ｓを投入してから伝票Ｌ１を商品Ｓに貼り付けてもよく、商品Ｓと伝票Ｌ１とをまとめて一体としてから両者を同時に投入してもよい。
なお、包装容器Ｂの内部への商品Ｓ及び伝票Ｌ１の投入は、商品投入装置３０によらず、人員によって行ってもよい。
【００２１】
伝票Ｌ１は、例えば、紙やプラスチック等から形成されたシート状体であり、第１コードＣ１が印刷等によって表示されており、第１コードＣ１が表示された部分を除く部分に、適宜、顧客情報ＵＩ、商品情報ＳＩ、商品購入情報等が表示されている。
第１コードＣ１は、顧客を識別する顧客識別子ＵＩＤに関連付けられている。また、第１コードＣ１は、さらに商品Ｓを識別する商品識別子ＳＩＤを有しており、顧客識別子ＵＩＤ及び商品識別子ＳＩＤに関連付けられていてもよい。
このように、商品Ｓと一緒に包装される伝票Ｌ１には、顧客識別子ＵＩＤ及び商品識別子ＳＩＤに関連付けられた第１コードＣ１が表示されているので、包装システム１は、第１読取装置４１で第１コードＣ１を読み取って得られた顧客識別子ＵＩＤ及び商品識別子ＳＩＤを、制御装置９０に設けられた記憶装置（不図示）に記憶された参照テーブルと比較し、包装されている商品Ｓの顧客情報ＵＩ及び商品情報ＳＩを把握できるようになっている。
【００２２】
第１読取装置４１は、第１コードＣ１を読み取り可能な装置である。第１読取装置４１は、商品投入装置３０が配置されている位置より下流側に配置されている。
ここで、第１コードＣ１は、例えば、ＱＲコード（登録商標）等の２次元コードであってよく、バーコード等の１次元コードであってもよい。
そして、第１読取装置４１は、第１コードＣ１を、ＣＣＤ、レーザ、ＣＭＯＳイメージセンサ等によって光学的に読み取り、読み取ったデータを制御装置９０に送信する。
【００２３】
また、第１コードＣ１は商品Ｓに付されていてもよい。この場合、第１読取装置４１は、包装容器Ｂに投入された商品Ｓに付された第１コードＣ１を読み取るものである。具体的には、第１読取装置４１は、例えば、特定の空間範囲内のコードにだけ焦点が合うようにする等により、包装容器Ｂの内部に商品Ｓが配置されている場合に、商品Ｓに付された第１コードＣ１を読み取ることができるように設定してあるので、包装容器Ｂの内部に商品Ｓが配置されていない場合には、商品Ｓに付された第１コードＣ１を読み取ることができないようになっている。これにより、包装容器Ｂに投入された商品Ｓに付された第１コードＣ１を確実に読み取ることができる。よって、包装容器Ｂに対する商品Ｓの入れ間違いを予防できる。
【００２４】
容器ラベル発行装置５０は、第１コードＣ１に関連付けられた第２コードＣ２が付された容器ラベルＬ２を出力して包装容器Ｂに貼り付ける装置である。
ここで、第２コードＣ２は、第１コードＣ１と同様に、例えば、ＱＲコード（登録商標）等の２次元コードであってよく、バーコード等の１次元コードであってもよい。
なお、第２コードＣ２は、第１コードＣ１に含まれる顧客識別子ＵＩＤ及び商品識別子ＳＩＤを有するものであれば、第１コードＣ１と同じであってよい。
【００２５】
容器ラベルＬ２は、例えば、紙やプラスチック等から形成されたシート状体であり、表面に第２コードＣ２が印刷等によって表示されており、裏面に接着層が形成されている。
そして、容器ラベル発行装置５０は、容器ラベルＬ２の表面に第２コードＣ２を表示した状態で、裏面を包装容器Ｂに押し付けることにより、容器ラベルＬ２を包装容器Ｂに貼り付けられるようになっている。
【００２６】
容器ラベル発行装置５０は、商品投入装置３０より包装ラインの下流側に配置されている。また、容器ラベル発行装置５０は、第１読取装置４１より包装ラインの下流側に配置されている。ここで、容器ラベル発行装置５０は、商品Ｓが投入された包装容器Ｂに容器ラベルＬ２を付すようになっている。これにより、容器ラベル発行装置５０は、第１読取装置４１で読み取った第１コードＣ１に関連付けられた、第２コードＣ２を発行し、確実に、商品Ｓが投入された包装容器Ｂに、第２コードＣ２を貼り付けることができる。
なお、包装システム１は、第２コードＣ２が設けられた容器ラベルＬ２を出力し、商品Ｓを包装する包装容器Ｂに容器ラベルＬ２を付す容器ラベル発行装置５０を備える代わりに、第２コードＣ２を印刷可能な印刷装置（不図示）を備えてもよい。これにより、第１読取装置４１で読み取った第１コードＣ１に関連付けられた第２コードＣ２を、商品Ｓが投入された包装容器Ｂに、直接的に印刷して付すことができる。
【００２７】
第２読取装置４２は、第１コードＣ１又は第２コードＣ２を読み取り可能な装置である。第２読取装置４２は、容器ラベル発行装置５０が配置されている位置より下流側に配置されている。
第２読取装置４２は、第１コードＣ１又は第２コードＣ２を、ＣＣＤ、レーザ、ＣＭＯＳイメージセンサ等によって光学的に読み取り、読み取ったデータを制御装置９０に送信する。
【００２８】
広告投入装置６０は、広告及び第３コードＣ３が印刷された広告媒体Ｌ３を出力し、その広告媒体Ｌ３を包装容器Ｂの内部に投入する装置である。詳細には、広告投入装置６０は、顧客識別子ＵＩＤに関連付けられた顧客情報ＵＩ又は商品識別子ＳＩＤに関連付けられた商品情報ＳＩに基づく広告並びに顧客識別子ＵＩＤ及び商品識別子ＳＩＤに関連付けられた第３コードＣ３が印刷された広告媒体Ｌ３を出力し、その広告媒体Ｌ３を包装容器Ｂの内部に投入する装置である。
ここで、第３コードＣ３は、第１コードＣ１又は第２コードＣ２と同様に、例えば、ＱＲコード（登録商標）等の２次元コードであってよく、バーコード等の１次元コードであってもよい。
なお、第３コードＣ３は、第１コードＣ１又は第２コードＣ２に含まれる顧客識別子ＵＩＤ及び商品識別子ＳＩＤを有するものであれば、第１コードＣ１又は第２コードＣ２と同じであってよい。
そして、広告媒体Ｌ３は、例えば、紙やプラスチック等から形成されたシート状体であり、第３コードＣ３が印刷等によって表示されており、第３コードＣ３が表示された部分を除く部分に、商品購入者に訴求する広告等が表示されている。
【００２９】
広告媒体Ｌ３に印刷される広告は、具体的には、制御装置９０に記憶された、顧客識別子ＵＩＤ、商品識別子ＳＩＤ、顧客情報ＵＩ又は商品情報ＳＩから、顧客の商品閲覧履歴、人口統計学的属性、心理学的属性、地理学的属性、行動学的属性等を考慮した所定のアルゴリズムに従って、ターゲットとなる商品購入者が購入しそうな商品Ｓの情報を表示したものであり、商品購入者にその商品Ｓの購入を勧める内容になっている。なお、顧客の商品閲覧履歴、人口統計学的属性、心理学的属性、地理学的属性、行動学的属性等は、制御装置９０に保存されていてもよく、ネットワークＮＥＴ上のコンピュータのストレージに保存されていてもよい。なお、顧客の商品閲覧履歴、人口統計学的属性、心理学的属性、地理学的属性、行動学的属性等を考慮して、ターゲットとなる商品購入者が購入しそうな商品Ｓの情報を表示するアルゴリズムを実行するプログラムは、制御装置９０に保存されていてもよく、ネットワークＮＥＴ上のコンピュータのストレージに保存されていてもよい。
例えば、商品購入者が購入した商品Ｓが、英語の参考書であった場合、広告媒体Ｌ３に印刷される広告を、商品購入者の住所の近隣にある英会話教室で使用できる割引クーポンにしたりできる。
そして、広告が商品購入者の商品閲覧履歴情報に基づくものである場合、包装システム１は、制御装置９０に記憶された顧客識別子ＵＩＤに基づいて、ネットワークＮＥＴを介して商品閲覧履歴情報を獲得し、その商品閲覧履歴情報を考慮した所定のアルゴリズムに従って、ターゲットとなる商品購入者が購入しそうな商品Ｓの情報を表示するような広告を出力するように、広告投入装置６０を制御する。
【００３０】
封函装置７０は、包装容器Ｂに封をする装置である。具体的には、封函装置７０は、包装容器Ｂを、頂部が開いた状態から、閉じた状態に変形させて、頂部をテープで塞ぐまでを、自動的に行う。
【００３１】
第３読取装置４３は、第２コードＣ２を読み取り可能な装置である。第３読取装置４３は、封函装置７０が配置されている位置より下流側に配置されている。
第３読取装置４３は、第２コードＣ２を、ＣＣＤ、レーザ、ＣＭＯＳイメージセンサ等によって光学的に読み取り、読み取ったデータを制御装置９０に送信する。
【００３２】
宛名ラベル貼付装置８０は、顧客識別子ＵＩＤに関連付けられた宛名並びに顧客識別子ＵＩＤ及び商品識別子ＳＩＤに関連付けられた第４コードＣ４が印刷された宛名ラベルＬ４を出力して、その宛名ラベルＬ４を包装容器Ｂに付す装置である。
ここで、第４コードＣ４は、第１コードＣ１、第２コードＣ２又は第３コードＣ３と同様に、例えば、ＱＲコード（登録商標）等の２次元コードであってよく、バーコード等の１次元コードであってもよい。
なお、第４コードＣ４は、第１コードＣ１に含まれる顧客識別子ＵＩＤ及び商品識別子ＳＩＤを有するものであれば、第１コードＣ１と同じであってよい。
そして、宛名ラベルＬ４は、例えば、紙やプラスチック等から形成されたシート状体であり、第４コードＣ４が印刷等によって表示されており、第４コードＣ４が表示された部分を除く部分に、商品購入者の住所、宛名等が表示されている。
【００３３】
ところで、包装システム１は、容器ラベル発行装置５０が配置された位置より包装ラインの下流側に、第１照合装置１００を備えている。
第１照合装置１００は、第１読取装置４１と同様に、２次元コード又は１次元コードを、ＣＣＤ、レーザ、ＣＭＯＳイメージセンサ等によって光学的に読み取り可能な装置である。
【００３４】
第１照合装置１００は、第１コードＣ１と第３コードＣ３とを照合し、第１コードＣ１と第３コードＣ３とが共通する顧客識別子ＵＩＤ及び商品識別子ＳＩＤを有さない場合にエラーを検出するようになっている。また、第２コードＣ２と第３コードＣ３とを照合し、第２コードＣ２と第３コードＣ３とが共通する顧客識別子ＵＩＤ及び商品識別子ＳＩＤを有さない場合にエラーを検出するようになっている。
なお、エラーの検出は、第１照合装置１００で行わずに、第１照合装置１００で読み取ったデータを第１照合装置１００から制御装置９０に送信し、制御装置９０で行ってもよい。
これにより、広告媒体Ｌ３に印刷された広告等が、包装容器Ｂの内部に包装された商品Ｓの商品購入者に応じたものであることを確認できる。よって、商品購入者に届ける物を確実に包装できる。
【００３５】
また、包装システム１は、宛名ラベル貼付装置８０が配置された位置より包装ラインの下流側に、第２照合装置２００を備えている。
第２照合装置２００は、第１読取装置４１及び第１照合装置１００と同様に、２次元コード又は１次元コードを、ＣＣＤ、レーザ、ＣＭＯＳイメージセンサ等によって光学的に読み取り可能な装置である。
【００３６】
第２照合装置２００は、第１コードＣ１と第４コードＣ４とを照合し、第１コードＣ１と第４コードＣ４とが共通する顧客識別子ＵＩＤ及び商品識別子ＳＩＤを有さない場合にエラーを検出するようになっている。また、第２コードＣ２と第４コードＣ４とを照合し、第２コードＣ２と第４コードＣ４とが共通する顧客識別子ＵＩＤ及び商品識別子ＳＩＤを有さない場合にエラーを検出するようになっている。同様に、第３コードＣ３と第４コードＣ４とを照合し、第３コードＣ３と第４コードＣ４とが共通する顧客識別子ＵＩＤ及び商品識別子ＳＩＤを有さない場合にエラーを検出するようになっている。
なお、エラーの検出は、第２照合装置２００で行わずに、第２照合装置２００で読み取ったデータを第２照合装置２００から制御装置９０に送信し、制御装置９０で行ってもよい。
これにより、宛名ラベルＬ４に印刷された宛名等が、包装容器Ｂの内部に包装された商品Ｓの商品購入者と相違ないことを確認できる。よって、商品購入者に届ける物を確実に包装でき、商品購入者に届けられる。
【００３７】
（包装システム１の動作工程）
次に、図１から図３を参照しながら、本実施形態に係る包装システム１の動作工程を、包装ラインに沿って、時系列的に説明する。以下、特に説明のない限り、包装システム１は、包装システム１における制御装置９０に導入された制御プログラムにより、各装置を制御する。なお、以下の説明において、第１コードＣ１、第２コードＣ２、第３コードＣ３及び第４コードＣ４は、顧客識別子ＵＩＤ及び商品識別子ＳＩＤを共通して有するものであれば、同じコードであってもよい。
【００３８】
図１に示すように、包装システム１は、コンベヤ１０に沿って並ぶように配置された各装置と制御装置９０とが接続されている。なお、コンベヤ１０は、包装容器Ｂを包装ラインに沿って、例えば、各装置を包装容器Ｂに追従して動作させるようにすることで、連続的に運搬してもよく、例えば、各装置の動作時間に応じて、断続的に運搬してもよい。なお、以下では、ある一つの商品Ｓを包装容器Ｂに包装する工程に着目して説明する。
【００３９】
（１）まず、包装システム１は、制御装置９０にあらかじめ導入された制御プログラムにより、製函装置２０を制御し、包装容器Ｂを成形し、包装容器Ｂをコンベヤ１０に載せる。
包装容器Ｂは、コンベヤ１０により、包装ラインの下流に向けて運搬される。
なお、製函装置２０は、順次、新たな包装容器Ｂを成形し、先に成形した包装容器Ｂが下流に運搬され次第、順次、新たな包装容器Ｂをコンベヤ１０に載せてもよい。
（２）包装容器Ｂが、商品投入装置３０を配置している位置に到達すると、包装システム１は、商品投入装置３０を制御し、包装容器Ｂの内部に、第１コードＣ１が印刷された伝票Ｌ１と一体となった商品Ｓを投入する。ここで、第１コードＣ１は、例えば、図３において、“Ａ０１Ｂ０１”で示されるように、“Ａ０１”で示された顧客識別子ＵＩＤ及び“Ｂ０１”で示された商品識別子ＳＩＤに関連付けられたものとなっている。なお、本工程は、商品投入装置３０によらず、人員によって行ってもよい。
また、ここで、商品Ｓは、制御装置９０の記憶装置に記憶された商品識別子ＳＩＤに関連付けられた商品情報ＳＩに基づいて選択され、商品投入装置３０により、商品Ｓが保管されている倉庫の棚から自動的にピックアップされてもよい。
（３）続いて、包装システム１は、第１読取装置４１を制御し、前工程において包装容器Ｂに投入された商品Ｓに付された第１コードＣ１を読み取る。
（４）この後、包装システム１は、容器ラベル発行装置５０を制御し、第１読取装置４１で読み取った第１コードＣ１に基づき、第２コードＣ２を発行する。また、第２コードＣ２を制御装置９０の記憶装置に記憶させる。そして、その第２コードＣ２を印刷した容器ラベルＬ２を作成する。なお、第２コードＣ２は、第１コードＣ１と同じ、例えば、“Ａ０１Ｂ０１”である。そして、包装システム１は、容器ラベル発行装置５０を制御し、容器ラベルＬ２を、包装容器Ｂに貼り付ける。
このように、容器ラベルＬ２を商品Ｓが投入されている包装容器Ｂに確実に貼り付けるため、包装容器Ｂに容器ラベルＬ２を貼り付ける工程は、包装容器Ｂに商品Ｓを投入する工程より後になっている。
なお、包装システム１が容器ラベル発行装置５０を備える代わりに、第２コードＣ２を印刷可能な印刷装置（不図示）を備える場合であれば、第２コードＣ２が印刷された容器ラベルＬ２を作成することなく、その印刷装置によって、第２コードＣ２を、商品Ｓが投入された包装容器Ｂに、直接的に印刷する。
（５）続いて、包装システム１は、第２読取装置４２を制御し、第１コードＣ１又は第２コードＣ２を読み取り、読み取った第１コードＣ１又は第２コードＣ２を制御装置９０の記憶装置に記憶させる。
（６）次に、包装システム１は、広告投入装置６０を制御し、第２読取装置４２で読み取った第１コードＣ１又は第２コードＣ２に基づき、第３コードＣ３を発行する。なお、第３コードＣ３は、第１コードＣ１と同じ、例えば、“Ａ０１Ｂ０１”である。また、第３コードＣ３を制御装置９０の記憶装置に記憶させる。その第３コードＣ３を印刷した広告媒体Ｌ３を作成する。そして、第３コードＣ３が付された広告媒体Ｌ３を出力して包装容器Ｂの内部に広告媒体Ｌ３を投入する。
ここで、広告媒体Ｌ３に印刷される広告は、顧客識別子ＵＩＤ又は商品識別子ＳＩＤに応じたものとなっているが、顧客識別子ＵＩＤ又は商品識別子ＳＩＤとは関係のないものであってもよい。
（７）そして、包装システム１は、第１照合装置１００を制御し、第１コードＣ１と第３コードＣ３とを照合し、第１コードＣ１と第３コードＣ３とが共通する顧客識別子ＵＩＤ及び商品識別子ＳＩＤを有さない場合にエラーを検出する。これにより、エラーを検出した場合、包装容器Ｂに、商品Ｓ又は商品購入者に関係する広告媒体Ｌ３が投入されていないことを確認できる。
また、包装システム１は、第１照合装置１００を制御し、第２コードＣ２と第３コードＣ３とを照合し、第２コードＣ２と第３コードＣ３とが共通する顧客識別子ＵＩＤ及び商品識別子ＳＩＤを有さない場合にエラーを検出する。これにより、エラーを検出した場合、包装容器Ｂに、商品Ｓ又は商品購入者に関係する広告媒体Ｌ３が投入されていないことを確認できる。
（８）第１照合装置１００においてエラーを検出しない場合、包装システム１は、封函装置７０を制御し、包装容器Ｂの頂部を、例えばテープ等を貼る付けることによって閉じた状態にする。
（９）続いて、包装システム１は、第３読取装置４３を制御し、第２コードＣ２を読み取り、読み取った第２コードＣ２を制御装置９０の記憶装置に記憶させる。
（１０）そして、包装システム１は、宛名ラベル貼付装置８０を制御し、第４コードＣ４が付された宛名ラベルＬ４を出力して包装容器Ｂに貼り付ける。ここで、第４コードＣ４は、第３読取装置４３で読み取った第２コードＣ２に基づいて発行されたものでよいが、第１読取装置４１で読み取った第１コードＣ１に基づいて発行されたものでもよい。なお、第４コードＣ４は、第１コードＣ１と同じ、例えば、“Ａ０１Ｂ０１”である。
（１１）続いて、包装システム１は、第２照合装置２００を制御し、第１コードＣ１と第４コードＣ４とを照合し、第１コードＣ１と第４コードＣ４とが共通する顧客識別子ＵＩＤ及び商品識別子ＳＩＤを有さない場合にエラーを検出する。また、第２照合装置２００を制御し、第２コードＣ２と第４コードＣ４とを照合し、第２コードＣ２と第４コードＣ４とが共通する顧客識別子ＵＩＤ及び商品識別子ＳＩＤを有さない場合にエラーを検出する。さらに、第２照合装置２００を制御し、第３コードＣ３と第４コードＣ４とを照合し、第３コードＣ３と第４コードＣ４とが共通する顧客識別子ＵＩＤ及び商品識別子ＳＩＤを有さない場合にエラーを検出する。これにより、エラーを検出した場合、商品Ｓが投入された包装容器Ｂに、商品Ｓ又は商品購入者に関係する宛名ラベルＬ４が付されていないことを確認できる。
（１２）最後に、第２照合装置２００においてエラーを検出しない場合、包装システム１は、商品Ｓ等を包装容器Ｂに包装する工程を完了する。なお、この後、包装容器Ｂは、適宜、宛名ラベルＬ４に印刷された住所に出荷される。
【００４０】
以上のように、包装システム１が動作することにより、伝票Ｌ１と一体となった商品Ｓを包装容器Ｂの内部に確実に包装できる。また、伝票Ｌ１と一体となった商品Ｓを広告媒体Ｌ３と一緒に、包装容器Ｂの内部に確実に包装できる。包装容器Ｂが閉じられた後であっても、容器ラベルＬ２又は宛名ラベルＬ４をコード読取装置で読み取ることで、包装容器Ｂの内部に包装された商品Ｓに関する顧客情報ＵＩ及び商品情報ＳＩを参照することができる。
【００４１】
以上、具体的な実施形態を基に本発明の説明を行ってきたが、本発明は、上記実施形態に限定されるものではない。例えば、上記実施形態においては広告投入装置６０を用いて包装容器Ｂに広告媒体Ｌ３を投入しているが、広告媒体Ｌ３の替わりにクーポン（割引）情報が印刷されたクーポンを出力し、クーポン投入装置を用いて包装容器Ｂにクーポンを出力するようにしてもよい。すなわち、包装システム１は、顧客識別子ＵＩＤに関連付けられた顧客情報ＵＩ又は商品識別子ＳＩＤに関連付けられた商品情報ＳＩに基づくクーポン情報並びに顧客識別子ＵＩＤ及び商品識別子ＳＩＤに関連付けられた第３コードＣ３が印刷されたクーポンを出力し、クーポンを包装容器Ｂに投入するクーポン投入装置と、を備えていてもよい。なお、包装容器Ｂに、広告媒体Ｌ３及びクーポンを投入する装置を備えてもよい。
【００４２】
本発明の包装システム１によれば、顧客を識別する顧客識別子ＵＩＤ及び商品Ｓを識別する商品識別子ＳＩＤに関連付けられた第１コードＣ１を読み取り可能な第１読取装置４１と、第１コードＣ１に関連付けられた第２コードＣ２が設けられた容器ラベルＬ２を出力し、商品Ｓを包装する包装容器Ｂに容器ラベルＬ２を付す容器ラベル発行装置５０と、を備え、第１読取装置４１は、包装容器Ｂに投入された商品Ｓに付された第１コードＣ１を読み取り、容器ラベル発行装置５０は、商品Ｓが投入された包装容器Ｂに容器ラベルＬ２を付すので、容器ラベルＬ２に設けられた第２コードＣ２は、包装容器Ｂに投入された商品Ｓに付された第１コードＣ１に関連するものとなり、第１コードＣ１及び第２コードＣ２は、いずれも、共通する顧客識別子ＵＩＤ及び商品識別子ＳＩＤを有するものとなる。したがって、顧客に届ける包装容器Ｂに、顧客が購入した商品Ｓを、確実に包装できる。よって、商品購入者に届ける物を確実に包装できる。
【符号の説明】
【００４３】
１      包装システム
１０    コンベヤ
２０    製函装置
３０    商品投入装置
４１    第１読取装置
４２    第２読取装置
４３    第３読取装置
５０    容器ラベル発行装置
６０    広告投入装置
７０    封函装置
８０    宛名ラベル貼付装置
９０    制御装置
１００  第１照合装置
２００  第２照合装置
Ｂ      包装容器
Ｃ１    第１コード
Ｃ２    第２コード
Ｃ３    第３コード
Ｃ４    第４コード
Ｌ１    伝票
Ｌ２    容器ラベル
Ｌ３    広告媒体
Ｌ４    宛名ラベル
ＮＥＴ  ネットワーク
Ｓ      商品
ＳＩ    商品情報
ＳＩＤ  商品識別子
ＵＩ    顧客情報
ＵＩＤ  顧客識別子
【図１】
2020055657.tif 000003
【図２】
2020055657.tif 000004
【図３】
2020055657.tif 000005